(57)【要約】【課題】血液回路における血液の凝固や温度低下を防止しつつ、血液処理器の目詰まりに適切に対応可能な血液体外循環装置の作動方法を提供する。【解決手段】血液体外循環装置１の作動方法であって、血液回路１０の血液が脱血側から血液処理器２０を経由して返血側に流れるように制御手段１３が第１の血液ポンプ３０を制御する第１の工程と、第１の工程中に血液処理器２０の血液入口圧及び血液出口圧を検出する第２の工程と、第１の工程中に第２の工程で検出した血液入口圧と血液出口圧との圧力差が所定の閾値を超えた場合に、バイパス回路２３に流れる血液の流量を増大させるように制御手段１３が第２の血液ポンプ３１を制御する第３の工程と、を有する【選択図】図１
2010125210.tif 000002
【特許請求の範囲】
【請求項１】
体内から取り出した血液を循環させて体内に戻すための血液回路と、前記血液回路を流通する血液の流量を調整する流量調整手段と、前記流量調整手段を制御する制御手段とを備え、前記血液回路は、血液を処理材を通過させて処理する血液処理器と、体内から取り出した血液を流通させて前記血液処理器に導入するための脱血側回路と、前記血液処理器によって処理された血液を流通させて体内に戻すための返血側回路と、前記血液処理器を迂回するように前記脱血側回路と前記返血側回路とを接続するバイパス回路と、を有し、前記流量調整手段は、前記脱血側回路に設けられた第１の血液ポンプと、前記バイパス回路に設けられた第２の血液ポンプと、を有する血液体外循環装置の作動方法であって、
前記血液回路の血液が脱血側から前記血液処理器を経由して返血側に流れるように前記制御手段が前記第１の血液ポンプを制御する第１の工程と、
前記第１の工程中に前記血液処理器の血液入口圧及び血液出口圧を検出する第２の工程と、
前記第１の工程中に、前記第２の工程で検出した前記血液入口圧と前記血液出口圧との圧力差が所定の閾値を超えた場合に、前記バイパス回路に流れる血液の流量を増大させるように前記制御手段が前記第２の血液ポンプを制御する第３の工程と、を有することを特徴とする、血液体外循環装置の作動方法。
【請求項２】
前記第３の工程において前記血液入口圧と前記血液出口圧との圧力差が前記閾値を超えた場合に、前記圧力差が前記閾値以下になるように前記第２の血液ポンプが制御されて、前記バイパス回路の血液の流量が調整されることを特徴とする、請求項１に記載の血液体外循環装置の作動方法。
【請求項３】
前記第３の工程において前記血液入口圧と前記血液出口圧との圧力差が前記閾値を超えた後、前記血液回路における前記第１の血液ポンプによる血液の流量が一定に維持されることを特徴とする、請求項１又は２に記載の血液体外循環装置の作動方法。
【請求項４】
前記血液入口圧と前記血液出口圧との圧力差が最初に前記閾値を超えた時に、前記第２の血液ポンプの駆動が開始されて、前記バイパス回路に血液が流されることを特徴とする、請求項１〜３のいずれかに記載の血液体外循環装置の作動方法。
【請求項５】
体内から取り出した血液を循環させて体内に戻すための血液回路と、前記血液回路内の圧力を検出する圧力検出手段と、前記血液回路を流通する血液の流量を調整する流量調整手段と、前記流量調整手段を制御する制御手段と、を備える血液体外循環装置であって、
前記血液回路は、血液を処理材を通過させて処理する血液処理器と、体内から取り出した血液を流通させて前記血液処理器に導入するための脱血側回路と、前記血液処理器によって処理された血液を流通させて体内に戻すための返血側回路と、前記血液処理器を迂回するように前記脱血側回路と前記返血側回路とを接続するバイパス回路と、を有し、
前記圧力検出手段は、前記血液処理器の血液入口圧を検出する第１の圧力センサと、前記血液処理器の血液出口圧を検出する第２の圧力センサと、を有し、
前記流量調整手段は、前記脱血側回路に設けられた第１の血液ポンプと、前記バイパス回路に設けられた第２の血液ポンプと、を有し、
前記制御手段は、前記血液回路の血液が脱血側から前記血液処理器を経由して返血側に流れるように前記第１の血液ポンプを制御するとともに、前記第１の圧力センサで検出された前記血液入口圧と前記第２の圧力センサで検出された前記血液出口圧との圧力差が所定の閾値を超えた場合に、前記バイパス回路に流れる血液の流量を増大させるように前記第２の血液ポンプを制御するものであることを特徴とする、血液体外循環装置。
【請求項６】
前記制御手段は、前記血液入口圧と前記血液出口圧との圧力差が前記閾値を超えた場合に、当該圧力差が前記閾値以下になるように前記第２の血液ポンプを制御して、前記バイパス回路の血液の流量を調整することを特徴とする、請求項５に記載の血液体外循環装置。
【請求項７】
前記制御手段は、前記血液入口圧と前記血液出口圧との圧力差が前記閾値を超えた後、前記血液回路における前記第１の血液ポンプによる血液の流量を一定に維持することを特徴とする、請求項５又は６に記載の血液体外循環装置。
【請求項８】
前記制御手段は、前記血液入口圧と前記血液出口圧との圧力差が最初に前記閾値を超えた時に、前記第２の血液ポンプの駆動を開始し、前記バイパス回路に血液を流すことを特徴とする、請求項５〜７のいずれかに記載の血液体外循環装置。
【請求項９】
前記第１の圧力センサは、前記第１の血液ポンプと、前記脱血側回路と前記バイパス回路との接続部との間に配置されていることを特徴とする、請求項５〜８のいずれかに記載の血液体外循環装置。
【請求項１０】
前記第２の圧力センサは、前記返血側回路と前記バイパス回路との接続部より返血側に配置されていることを特徴とする、請求項５〜９のいずれかに記載の血液体外循環装置。
【請求項１１】
前記血液回路は、ドリップチャンバを有し、
前記第１の圧力センサ又は前記第２の圧力センサの少なくとも一方は、前記ドリップチャンバの気体空間から分岐した分岐回路に接続され、その分岐回路の気体領域の内圧を検出するものであることを特徴とする、請求項５〜１０のいずれかに記載の血液体外循環装置。
【発明の詳細な説明】
【技術分野】
【０００１】
本発明は、血液体外循環装置及び血液体外循環装置の作動方法に関する。
【背景技術】
【０００２】
例えば患者の体内から血液を取り出し当該血液から病因物質や特定の白血球などを取り除いて体内に戻す血液吸着療法や白血球除去療法などの血液体外循環療法は、血液体外循環装置を用いて行われている。血液体外循環装置は、体内から取り出した血液を循環させて体内に戻すための血液回路を有し、その血液回路には、特定の物質を除去する吸着材や分離材などの処理材を備えた血液処理器と、血液処理器の脱血側において血液を送液する血液ポンプが設けられている。
【０００３】
ところで、上記血液回路において血液処理を行い続けると、血液処理器において処理材に目詰まりが生じることがある。目詰まりが生じているにもかかわらず、血液を同じ流量で供給し続けると、血液処理器の処理材の前後の圧力差が大きくなり、例えば血液中の血球等が処理材に強く押し付けられ破損することがある。このため、血液処理器の脱血側と返血側の圧力差を監視し、ある程度目詰まりが生じると、血液ポンプによる血液の送液流量を下げて、血球等の破損を抑制することが行われている（特許文献１参照）。
【０００４】
【特許文献１】特開２００２−１９１６９１号公報
【発明の開示】
【発明が解決しようとする課題】
【０００５】
しかしながら、血液回路の血液流量が低下すると、血液が患者から取り出されてから患者に戻されるまでに時間がかかり途中で凝固しやすくなる。また、血液が大気により冷やされて血液の温度が低下する恐れもある。
【０００６】
本発明は、かかる点に鑑みてなされたものであり、血液回路における血液の凝固や温度低下を防止しつつ、血球等が破損しないように血液処理器の目詰まりに適切に対応可能な血液体外循環装置の作動方法と、血液体外循環装置を提供することをその目的とする。
【課題を解決するための手段】
【０００７】
上記目的を達成するための本発明は、体内から取り出した血液を循環させて体内に戻すための血液回路と、前記血液回路を流通する血液の流量を調整する流量調整手段と、前記流量調整手段を制御する制御手段とを備え、前記血液回路は、血液を処理材を通過させて処理する血液処理器と、体内から取り出した血液を流通させて前記血液処理器に導入するための脱血側回路と、前記血液処理器によって処理された血液を流通させて体内に戻すための返血側回路と、前記血液処理器を迂回するように前記脱血側回路と前記返血側回路とを接続するバイパス回路と、を有し、前記流量調整手段は、前記脱血側回路に設けられた第１の血液ポンプと、前記バイパス回路に設けられた第２の血液ポンプと、を有する血液体外循環装置の作動方法であって、前記血液回路の血液が脱血側から前記血液処理器を経由して返血側に流れるように前記制御手段が前記第１の血液ポンプを制御する第１の工程と、前記第１の工程中に前記血液処理器の血液入口圧及び血液出口圧を検出する第２の工程と、前記第１の工程中に、前記第２の工程で検出した前記血液入口圧と前記血液出口圧との圧力差が所定の閾値を超えた場合に、前記バイパス回路に流れる血液の流量を増大させるように前記制御手段が前記第２の血液ポンプを制御する第３の工程と、を有することを特徴とする。なお、「前記バイパス回路に流れる血液の流量を増大させる」には、血液の流量が零の状態から血液を流し始める場合も含まれる。
【０００８】
本発明によれば、血液処理器の詰まりに起因して血液処理器の血液入口圧と血液出口圧との圧力差が所定の閾値を超えるような場合においても、血液回路の血液の一部をバイパス回路に流して、血液処理器の血液入口圧と血液出口圧との圧力差を小さくできる。これにより、血液回路における全体の血液流量を維持しながら、血液処理器の処理材の前後の圧力差を低減できる。この結果、血液回路の血液流量の低下により血液が凝固したり温度が低下することを防止できる。また、血液処理器の前後の大きな圧力差により血球等が処理材に押し付けられ破損することが防止され、血液処理器の目詰まりに適切に対応できる。
【０００９】
上記血液体外循環装置の作動方法において、前記第３の工程において前記血液入口圧と前記血液出口圧との圧力差が前記閾値を超えた場合に、前記圧力差が前記閾値以下になるように前記第２の血液ポンプが制御されて、前記バイパス回路の血液の流量が調整されるようにしてもよい。かかる場合、血液処理器の処理材の前後の圧力差が十分に低減され、血液中の血球等が処理材に強く押し付けられ破損することをより確実に防止できる。
【００１０】
前記第３の工程において前記血液入口圧と前記血液出口圧との圧力差が前記閾値を超えた後、前記血液回路における前記第１の血液ポンプによる血液の流量が一定に維持されるようにしてもよい。かかる場合、血液が血液回路を通過する時間や速度が変わらないので、血液回路における血液の凝固や温度低下を確実に防止できる。
【００１１】
前記血液入口圧と前記血液出口圧との圧力差が最初に前記閾値を超えた時に、前記第２の血液ポンプの駆動が開始されて、前記バイパス回路に血液が流されるようにしてもよい。かかる場合、目詰まりが生じて圧力差が最初に閾値を超える前は、バイパス回路に血液が流されず、全て血液処理器に流されるので、血液処理器における血液処理が効率的に行われる。
【００１２】
別の観点による本発明は、体内から取り出した血液を循環させて体内に戻すための血液回路と、前記血液回路内の圧力を検出する圧力検出手段と、前記血液回路を流通する血液の流量を調整する流量調整手段と、前記流量調整手段を制御する制御手段と、を備える血液体外循環装置であって、前記血液回路は、血液を処理材を通過させて処理する血液処理器と、体内から取り出した血液を流通させて前記血液処理器に導入するための脱血側回路と、前記血液処理器によって処理された血液を流通させて体内に戻すための返血側回路と、前記血液処理器を迂回するように前記脱血側回路と前記返血側回路とを接続するバイパス回路と、を有し、前記圧力検出手段は、前記血液処理器の血液入口圧を検出する第１の圧力センサと、前記血液処理器の血液出口圧を検出する第２の圧力センサと、を有し、前記流量調整手段は、前記脱血側回路に設けられた第１の血液ポンプと、前記バイパス回路に設けられた第２の血液ポンプと、を有し、前記制御手段は、前記血液回路の血液が脱血側から前記血液処理器を経由して返血側に流れるように前記第１の血液ポンプを制御するとともに、前記第１の圧力センサで検出された前記血液入口圧と前記第２の圧力センサで検出された前記血液出口圧との圧力差が所定の閾値を超えた場合に、前記バイパス回路に流れる血液の流量を増大させるように前記第２の血液ポンプを制御するものであることを特徴とする。
【００１３】
本発明によれば、血液処理器の詰まりに起因して血液処理器の血液入口圧と血液出口圧との圧力差が所定の閾値を超えるような場合においても、血液回路の血液の一部をバイパス回路に流して、血液処理器の血液入口圧と血液出口圧との圧力差を小さくできる。これにより、血液回路における全体の血液流量を維持しながら、血液処理器の処理材の前後の圧力差を低減できる。この結果、血液回路の血液流量の低下により血液が凝固したり温度が低下することを防止できる。また、血液処理器の前後の大きな圧力差により血球等が処理材に押し付けられ破損することが防止され、血液処理器の目詰まりに適切に対応できる。
【００１４】
前記制御手段は、前記血液入口圧と前記血液出口圧との圧力差が前記閾値を超えた場合に、当該圧力差が前記閾値以下になるように前記第２の血液ポンプを制御して、前記バイパス回路の血液の流量を調整するようにしてもよい。
【００１５】
前記制御手段は、前記血液入口圧と前記血液出口圧との圧力差が前記閾値を超えた後、前記血液回路における前記第１の血液ポンプによる血液の流量を一定に維持するようにしてもよい。
【００１６】
前記制御手段は、前記血液入口圧と前記血液出口圧との圧力差が最初に前記閾値を超えた時に、前記第２の血液ポンプの駆動を開始し、前記バイパス回路に血液を流すようにしてもよい。
【００１７】
前記第１の圧力センサは、前記第１の血液ポンプと、前記脱血側回路と前記バイパス回路との接続部との間に配置されていてもよい。かかる場合、処理材の上流側の圧力をより正確に検出できる。
【００１８】
前記第２の圧力センサは、前記返血側回路と前記バイパス回路との接続部より返血側に配置されていてもよい。
【００１９】
前記血液回路は、ドリップチャンバを有し、前記第１の圧力センサ又は前記第２の圧力センサの少なくとも一方は、前記ドリップチャンバの気体空間から分岐した分岐回路に接続され、その分岐回路の気体領域の内圧を検出するものであってもよい。かかる場合、ドリップチャンバを介した、分岐回路の気体領域の圧力を測定することができるので、第１及び第２の圧力センサに血液、血漿等の液体成分が付着、流入する可能性が少なくなり、例えば交換可能な回路と、交換しない領域の装置部分の使い分けが容易となる。
【発明の効果】
【００２０】
本発明によれば、血液回路における血液の凝固や温度低下を防止しつつ、血液処理器の目詰まりに適切に対応できるので、例えば血液処理をより長時間続行できる。
【発明を実施するための最良の形態】
【００２１】
以下、図面を参照して、本発明の好ましい実施の形態について説明する。図１は、本実施の形態に係る血液体外循環装置１の構成の概略を示す説明図である。
【００２２】
図１に示すように血液体外循環装置１は、体内から取り出した血液を循環させて体内に戻すための血液回路１０と、血液回路１０内の圧力を検出する圧力検出手段１１と、血液回路１０を流通する血液の流量を調整する流量調整手段１２と、流量調整手段１２を制御する制御手段１３を有している。
【００２３】
血液回路１０は、血液を処理する血液処理器２０と、患者の脱血部から取り出した血液を流通させて血液処理器２０に導入するための脱血側回路２１と、血液処理器２０によって処理された血液を流通させて患者の返血部に戻すための返血側回路２２と、血液処理器２０を迂回するように脱血側回路２１と返血側回路２２とを接続するバイパス回路２３を有している。
【００２４】
血液処理器２０は、血液を透過させて当該血液から病因物質や白血球などの所定成分を分離する中空糸膜や所定成分を吸着する吸着材などの処理材２０ａを内部に有している。
【００２５】
流量調整手段１２は、脱血側回路２１に設けられたチューブポンプなどの第１の血液ポンプ３０と、バイパス回路２３に設けられたチューブポンプなどの第２の血液ポンプ３１を有している。なお、この第１の血液ポンプ３０と第２の血液ポンプ３１は、停止時に血液の流れを遮断させるものである。
【００２６】
圧力検出手段１１は、血液処理器２０の血液入口圧を検出する第１の圧力センサ４０と、血液処理器２０の血液出口圧を検出する第２の圧力センサ４１を有している。第１の圧力センサ４０、第２の圧力センサ４１の圧力検出結果は、制御手段１３に出力できる。
【００２７】
脱血側回路２１は、第１の血液ポンプ３０と血液処理器２０との間に第１のドリップチャンバ５０を有している。第１のドリップチャンバ５０は、当該第１のドリップチャンバ５０の気体空間から分岐した分岐回路５１を有し、当該分岐回路５１に第１の圧力センサ４０が接続されている。第１の圧力センサ４０は、分岐回路５１の気体領域の内圧を検出することによって血液処理器２０の血液入口圧を検出できる。
【００２８】
返血側回路２２は、第２のドリップチャンバ６０を有している。第２のドリップチャンバ６０は、当該第２のドリップチャンバ６０の気体空間から分岐した分岐回路６１を有し、当該分岐回路６１に第２の圧力センサ４１が接続されている。第２の圧力センサ４１は、分岐回路６１の気体領域の内圧を検出することによって血液処理器２０の血液出口圧を検出できる。
【００２９】
バイパス回路２３は、脱血側回路２１の第１のドリップチャンバ５０と血液処理器２０との間の接続部２３ａから分岐し、返血側回路２２の第２のドリップチャンバ６０と血液処理器２０との間の接続部２３ｂに接続されている。よって、第１の圧力センサ４０は、バイパス回路２３の接続部２３ａと第１の血液ポンプ３０の間に配置され、第２の圧力センサ４１は、バイパス回路２３の接続部２３ｂより返血側に配置されている。
【００３０】
制御手段１３は、例えばコンピュータにより構成され、メモリに記録されたプログラムを実行することによって、第１の圧力センサ４０と第２の圧力センサ４１の圧力検出結果を取得し、当該圧力検出結果に基づいて第１の血液ポンプ３０や第２の血液ポンプ３１を制御できる。例えば制御手段１３は、血液回路１０の血液が脱血側から血液処理器２０を経由して返血側に流れるように第１の血液ポンプ３０を制御するとともに、第１の圧力センサ４０で検出された血液入口圧と第２の圧力センサ４１で検出された血液出口圧との圧力差が所定の閾値を超えた場合に、バイパス回路２３に流れる血液の流量を増大させるように第２の血液ポンプ３１を制御できる。
【００３１】
次に、以上のように構成された血液体外循環装置１の作動方法について説明する。血液処理の平常時には、制御手段１３により第１の血液ポンプ３０が制御されて、血液回路１０の血液が所定の流量で脱血側から血液処理器２０を経由して返血側に流される（第１の工程）。これにより、患者の体内から取り出した血液が脱血側回路２１を通って血液処理器２０に送られ、当該血液処理器２０で所定成分が除去され、返血側回路２２を通って患者の体内に戻される。このとき、例えば第２の血液ポンプ３１は停止されバイパス回路２３が閉塞されており、バイパス回路２３に血液が流れていない。なお、血液回路１０全体を流れる血液の流量、流速は、10〜100ｍｌ／minであることが、患者の負担と血液を処理する能力から望ましく、40〜60ｍｌ／minであることが、患者の負担と血液処理の効率の面より好ましい。
【００３２】
また、血液処理時には、常時第１の圧力センサ４０により血液処理器２０の血液入口圧が検出され、第２の圧力センサ４１により血液出口圧が検出され（第２の工程）、これらの圧力検出結果が、制御手段１３に出力される。
【００３３】
制御手段１３は、血液処理器２０の血液入口圧Ｐ１と血液出口圧Ｐ２の圧力差Ｐ0（Ｐ１−Ｐ２）に基づいて、当該圧力差Ｐ0が、予め設定されている閾値Ａを超えたか否かを常時監視している。この圧力差Ｐ0の閾値Ａは、例えばその圧力差で血液中の血球等が処理材２０ａに接触して破損するか否かを基準に定められている。なお、流速に伴う、第１の圧力センサ４０で測定される圧力（Ｐ１）としては、20〜170ｍｍHgであることが望ましく、第２の圧力センサ４１で測定される圧力（Ｐ２）としては、20〜70ｍｍHgであることが望ましい。このＰ１とＰ２の圧力差Ｐ0が、閾値Ａの範囲にあるかどうかで制御されるが、その閾値Ａの設定は、50〜150ｍｍHgの範囲で設定されることが望ましい。より好ましくは、80〜120ｍｍHgの範囲の特定の値に閾値Ａが設定されることが好ましい。例えば、血液処理器２０に、白血球除去器を配置する場合（例えば、旭化成クラレメディカル製  セルソーバE）は、閾値Ａを100mmHgに設定することができる。
血液処理器の詰まり易さや、血液処理の効率等を考慮しながら、閾値を設定する事が望ましい。
【００３４】
そして、圧力差Ｐ0が閾値Ａを最初に超えた場合には、制御手段１３により、第２の血液ポンプ３１の駆動が開始され、バイパス回路２３に所定流量の血液が流される（第３の工程）。このとき、脱血側回路２１における第１の血液ポンプ３０による血液の流量は一定に維持されている。これにより、脱血側回路２１の血液の一部がバイパス回路２３に流れ込み、血液処理器２０に流れ込む血液の流量が低減される。バイパス回路２３に流れ込んだ血液は、血液処理器２０を迂回して返血側回路２２に戻され、血液処理器２０を通過した血液と合流して返血側に流される。こうして、血液回路１０の全体の血液流量が維持されたまま、血液処理器２０に流れ込む血液の流量が減らされて、処理材２０ａの前後の圧力差（圧力差Ｐ0）が下げられる。
【００３５】
また、圧力差Ｐ0が閾値Ａを超えた後は、当該圧力差Ｐ0が閾値Ａ以下になるように第２の血液ポンプ３１が制御されて、バイパス回路２３の血液の流量が調整される。つまり、引き続き第１の圧力センサ４０と第２の圧力センサ４１により血液入口圧Ｐ１と血液出口圧Ｐ２が検出され、それらの圧力検出結果に基づいて、第２の血液ポンプ３１による血液流量が調整されて、圧力差Ｐ0が再び閾値Ａ以下に戻される。
【００３６】
その後、再度圧力差Ｐ0が閾値Ａを超えた場合には、制御手段１３により第２の血液ポンプ３１が制御され、バイパス回路２３に流れる血液の流量を増大する。このときの血液の流量は、圧力差Ｐ0が閾値Ａ以下に戻るように調整される。このように圧力差Ｐ0が閾値Ａを超える度に、バイパス回路２３の血液流量が増やされ、圧力差Ｐ0が閾値Ａ以下に戻される。そして、第２の血流ポンプ３１による血液の流量が第１の血流ポンプ３２による血液の流量に対して所定の割合Ｘ以上になったら血液処理効率が著しく低下したとして、血液処理が中止される。
【００３７】
以上の実施の形態によれば、血液処理器２０の詰まりに起因して血液処理器２０の血液入口圧Ｐ１と血液出口圧Ｐ２との圧力差Ｐ0が所定の閾値Ａを超えるような場合においても、血液回路１０の血液の一部をバイパス回路２３に流して、圧力差Ｐ0を下げることができる。これにより、処理材２０ａの前後の圧力差が下がるので、血液中の血球等が処理材２０ａに強く押し付けられ破損することを防止できる。また、バイパス回路２３に血液を流す或いはより多く流すだけであり、血液回路１０全体の血液流量は維持できるので、血液回路１０の流量低下による血液の凝固や温度低下を防止できる。
【００３８】
また、圧力差Ｐ0が閾値Ａを超えた場合、圧力差Ｐ0が閾値Ａ以下になるように第２の血液ポンプ３１が制御されてバイパス回路２３の血液の流量が調整されるので、圧力差Ｐ0を十分に下げて、血液中の血球等が処理材２０ａに強く押し付けられ破損することをより確実に防止できる。
【００３９】
さらに、圧力差Ｐ0が閾値Ａを超えた後、血液回路１０における第１の血液ポンプ３０による血液の流量が一定に維持されるので、血液が血液回路１０を通過する時間や速度が変わらず、血液回路１０における血液の凝固や温度低下を確実に防止できる。
【００４０】
圧力差Ｐ0が最初に閾値Ａを超えた時に、第２の血液ポンプ３１の駆動が開始されて、バイパス回路２３に血液が流される。このため、目詰まりが生じる前の圧力差Ｐ0が閾値Ａ以下の時には、バイパス回路２３に血液が流されず、全て血液処理器２０に流されるので、血液処理器２０における血液処理が効率的に行われる。
【００４１】
第１の圧力センサ４０は、第１の血液ポンプ３０とバイパス回路２３の接続部２３ａとの間に配置されているので、処理材２０ａの上流側の圧力をより正確に検出できる。
【００４２】
第２の圧力センサ４１は、バイパス回路２３の接続部２３ｂより返血側に配置されている。例えば本実施の形態では、接続部２３ｂより返血側の領域は、連続しており、回路を閉塞したり、圧を変化させる手段などが無いことから、血液処理器２０の出口側と連続する領域の血液回路１０内の圧力を正確に計測することが可能である。
【００４３】
第１の圧力センサ４０は、第１のドリップチャンバ５０の気体空間から分岐した分岐回路５１に接続され、その分岐回路５１の気体領域の内圧を検出するものであり、第２の圧力センサ４１は、第２のドリップチャンバ６０の気体空間から分岐した分岐回路６１に接続され、その分岐回路６１の気体領域の内圧を検出するものであるので、ドリップチャンバ５０、６０を介して、血液入口圧Ｐ１と血液出口圧Ｐ２を測定することができる。よって、第１の圧力センサ４０及び第２の圧力センサ４１に血液、血漿等の液体成分が付着、流入する可能性が少なくなり、例えば交換可能な回路と、交換しない領域の装置部分の使い分けが容易となる。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【図面の簡単な説明】
【００４５】
【図１】本実施の形態にかかる血液体外循環装置の構成を示す概略図である。
【符号の説明】
【００４６】
１  血液体外循環装置
１０  血液回路
１１  圧力検出手段
１２  流量調整手段
１３  制御手段
２０  血液処理器
２０ａ  処理材
２１  脱血側回路
２２  返血側回路
３０  第１の血液ポンプ
３１  第２の血液ポンプ
４０  第１の圧力センサ
４１  第２の圧力センサ
【図１】
2010125210.tif 000003